(57)【要約】【課題】本発明の目的は、受取人等が留守の場合でも配達業者が配達物を届けることができるドアの施解錠システム及びトランクルーム施設を提供することである。【解決手段】ドアの施解錠システム１は、ドアの施錠及び解錠をすることが可能な施解錠ユニット（１０ａ、１０ｂ）と、を備えている。施解錠ユニット（１０ａ、１０ｂ）は、通信部（１２ａ、１２ｂ）を有し、施解錠ユニット（１０ａ）は、ドア（１００）に設けられ、施解錠ユニット（１０ｂ）は、ドア（２００）に設けられる。ドア（１００）のみの解錠を行うことが可能なユーザーキー（２０ｂ）があり、ドア（１００）及びドア（２００）の施錠及び解錠を行うことが可能なマスターキー（２０ａ）がある。マスターキー（２０ａ）を用いることで、ドア（１００）とドア（２００）の施錠及び解錠を同時に行うことが可能である。ドア（１００、２００）は、同じ室（３００）に設けられ、ドア（１００）は、屋外に面している。【選択図】図２
2020084496.tif 000002
【特許請求の範囲】
【請求項１】
物理キー、リモコンキー、ＩＣカードキー、磁気カードキー、バーコードキーや２次元コードキー、暗証番号キー、生体認証キーのうちの少なくとも一つに基づいてドアの施錠及び解錠をすることが可能な第一の施解錠ユニットと、
物理キー、リモコンキー、ＩＣカードキー、磁気カードキー、バーコードキーや２次元コードキー、暗証番号キー、生体認証キーの少なくとも一つに基づいてドアの施錠及び解錠をすることが可能な第二の施解錠ユニットと、を備え、
前記第一の施解錠ユニット及び前記第二の施解錠ユニットは、通信部を有し、
前記第一の施解錠ユニットは、第一のドアに設けられ、
前記第二の施解錠ユニットは、第二のドアに設けられ、
前記第一のドアのみの解錠を行うことが可能なユーザーキーがあり、
前記第一のドア及び前記第二のドアの施錠及び解錠を行うことが可能なマスターキーがあり、
前記マスターキーを用いることで、前記第一のドアと前記第二のドアの施錠を同時に行うことが可能であり、
前記マスターキーを用いることで、前記第一のドアと前記第二のドアの解錠を同時に行うことが可能であり、
前記第一のドアと前記第二のドアは、同じ室に設けられ、該第一のドアは、屋外に面している、ドアの施解錠システム。
【請求項２】
前記マスターキーを用いて、前記第一のドアの施錠を行うと、前記第一の施解錠ユニットの通信部から前記第二の施解錠ユニットの通信部に向けて、前記第二のドアの施錠を行うコードが送信され、
前記マスターキーを用いて、前記第一のドアの解錠を行うと、前記第一の施解錠ユニットの通信部から前記第二の施解錠ユニットの通信部に向けて、前記第二のドアの解錠を行うコードが送信される、請求項１に記載のドアの施解錠システム。
【請求項３】
前記ユーザーキーは、前記第一の施解錠ユニットの管理者によって発行され、管理者が決めた回数のみ使用可能であり、
前記第一の施解錠ユニットは、前記ユーザーキーを用いて前記第一のドアの解錠が行われて該第一のドアが開けられた場合において、該第一のドアが閉められてから所定の時間が経過すると該第一のドアの施錠を行うように構成される、請求項１または請求項２に記載のドアの施解錠システム。
【請求項４】
前記第一の施解錠ユニット及び／または前記第二の施解錠ユニットは、建物内に設けられた所定の端末による遠隔操作が可能である、請求項１乃至請求項３のいずれか一項に記載のドアの施解錠システム。
【請求項５】
前記第一のドアと前記第二のドアは、住宅用の風除室に設けられる、請求項１乃至請求項４のいずれか一項に記載のドアの施解錠システム。
【請求項６】
物理キー、リモコンキー、ＩＣカードキー、磁気カードキー、バーコードキーや２次元コードキー、暗証番号キー、生体認証キーのうちの少なくとも一つに基づいてドアの施錠及び解錠をすることが可能な第一の施解錠ユニットと、
物理キー、リモコンキー、ＩＣカードキー、磁気カードキー、バーコードキーや２次元コードキー、暗証番号キー、生体認証キーの少なくとも一つに基づいてドアの施錠及び解錠をすることが可能な第二の施解錠ユニットと、
第一のドアと、
第二のドアと、を備え、
前記第一の施解錠ユニット及び前記第二の施解錠ユニットは、通信部を有し、
前記第一の施解錠ユニットは、前記第一のドアに設けられ、
前記第二の施解錠ユニットは、前記第二のドアに設けられ、
前記第一のドアのみの解錠を行うことが可能なユーザーキーがあり、
前記第一のドア及び前記第二のドアの施錠及び解錠を行うことが可能なマスターキーがあり、
前記マスターキーを用いることで、前記第一のドアと前記第二のドアの施錠を同時に行うことが可能であり、
前記マスターキーを用いることで、前記第一のドアと前記第二のドアの解錠を同時に行うことが可能であり、
前記第一のドアは、トランクルームの外に面し、前記第二のドアはトランクルームの外に面していない、トランクルーム。
【請求項７】
請求項６に記載のトランクルームを複数有するトランクルーム施設。
【請求項８】
請求項７に記載のトランクルーム施設であって、
複数のトランクルームのうちの少なくとも一のトランクルームを移動させるトランクルーム移動手段と、
前記複数のトランクルームを保管するトランクルーム保管設備と、
ユーザーが利用するトランクルームを呼び出すためのユーザーインターフェースと、
ユーザーが利用するトランクルームを呼び出し、かつ呼び出したトランクルームへの入出を行うためのトランクルーム入出設備と、を備え、
前記トランクルーム移動手段は、前記ユーザーインターフェースに入力された情報に基づいて、前記複数のトランクルームのうちの一のトランクルームを前記トランクルーム保管設備から前記トランクルーム入出設備に移動可能である、トランクルーム施設。
【請求項９】
請求項８に記載のトランクルーム施設であって、
前記トランクルーム入出設備は、複数設けられる、トランクルーム施設。
【請求項１０】
前記トランクルーム保管設備は、前記複数のトランクルームを立体的に保管する、請求項８または請求項９に記載のトランクルーム施設。
【請求項１１】
前記トランクルーム移動手段は、トランクルームを載置する載置部と該載置部を上下移動させるエレベータを有し、
前記載置部は、前記保管設備から該載置部にトランクルームを出入するアームを有し、
前記アームは、前記載置部から前記トランクルーム入出設備にトランクルームを出入することが可能である、請求項８乃至請求項１１のいずれか一項に記載のトランクルーム施設。
【発明の詳細な説明】
【技術分野】
【０００１】
本発明は、ドアの施解錠システム及びトランクルーム施設に関する。
【背景技術】
【０００２】
従来、電子キーを用いた建物のドアの施解錠システムがある（例えば、特許文献１）。また、住宅の玄関口やオフィスの入り口付近に配置する宅配・集荷ボックスがある（特許文献２）。また、配達物の集配のために設けるトランクルームがある（特許文献３）。
【先行技術文献】
【特許文献】
【０００３】
【特許文献１】特開２０１８−１１５４４６号公報
【特許文献２】特開２０１１−４１７１７号公報
【特許文献３】特開２００５−２２６４２７号公報
【発明の概要】
【発明が解決しようとする課題】
【０００４】
近年、インターネット等を介した通信販売の増加に伴い、個人宅への再配達の増加による人材不足やサービスの質の低下が社会的な問題となっている。しかし、特許文献１に示す技術を用いることで、受取人等が留守の場合でも、配達業者が配達物を届けに来た際に、受取人等が遠隔で玄関ドアの施解錠を行うことで配達物を受け取ることが可能であるが、留守の場合に配達業者に住宅の中に進入させるため、プライバシーや安全面において問題がある。特許文献２に示す技術を用いることで、住宅の玄関口やオフィスの入り口付近に配置する宅配・集荷ボックスを設けることで、受取人が留守の場合でも配達物を受け取ることが可能であるが、送られてくる配達物が大きい場合に宅配・集荷ボックスに入りきらないという問題を抱えている。特許文献３に示す技術を用いても、集荷や配送の効率化が図れるが、受取人が留守の場合の再配達を低減することはできない。
【０００５】
本発明の目的は、受取人等が留守の場合でも配達業者が配達物を届けることができるドアの施解錠システム及びトランクルーム施設を提供することである。
【課題を解決するための手段】
【０００６】
上記目的は、
物理キー、リモコンキー、ＩＣカードキー、磁気カードキー、バーコードキーや２次元コードキー、暗証番号キー、生体認証キーのうちの少なくとも一つに基づいてドアの施錠及び解錠をすることが可能な第一の施解錠ユニット（１０ａ）と、
物理キー、リモコンキー、ＩＣカードキー、磁気カードキー、バーコードキーや２次元コードキー、暗証番号キー、生体認証キーの少なくとも一つに基づいてドアの施錠及び解錠をすることが可能な第二の施解錠ユニット（１０ｂ）と、を備え、
前記第一の施解錠ユニット及び前記第二の施解錠ユニットは、通信部（１２ａ、１２ｂ）を有し、
前記第一の施解錠ユニットは、第一のドア（１００）に設けられ、
前記第二の施解錠ユニットは、第二のドア（２００）に設けられ、
前記第一のドアのみの解錠を行うことが可能なユーザーキー（２０ｂ）があり、
前記第一のドア及び前記第二のドアの施錠及び解錠を行うことが可能なマスターキー（２０ａ）があり、
前記マスターキーを用いることで、前記第一のドアと前記第二のドアの施錠を同時に行うことが可能であり、
前記マスターキーを用いることで、前記第一のドアと前記第二のドアの解錠を同時に行うことが可能であり、
前記第一のドアと前記第二のドアは、同じ室に設けられ、該第一のドアは、屋外に面している、ドアの施解錠システムによって達成される。
【０００７】
また、上記目的は、
物理キー、リモコンキー、ＩＣカードキー、磁気カードキー、バーコードキーや２次元コードキー、暗証番号キー、生体認証キーのうちの少なくとも一つに基づいてドアの施錠及び解錠をすることが可能な第一の施解錠ユニット（１０ａ）と、
物理キー、リモコンキー、ＩＣカードキー、磁気カードキー、バーコードキーや２次元コードキー、暗証番号キー、生体認証キーの少なくとも一つに基づいてドアの施錠及び解錠をすることが可能な第二の施解錠ユニット（１０ｂ）と、を備え、
前記第一の施解錠ユニット及び前記第二の施解錠ユニットは、通信部（１２ａ、１２ｂ）を有し、
前記第一の施解錠ユニットは、第一のドア（１００）に設けられ、
前記第二の施解錠ユニットは、第二のドア（２００）に設けられ、
前記第一のドアのみの解錠を行うことが可能なユーザーキー（２０ｂ）があり、
前記第一のドア及び前記第二のドアの施錠及び解錠を行うことが可能なマスターキー（２０ａ）があり、
前記マスターキーを用いることで、前記第一のドアと前記第二のドアの施錠を同時に行うことが可能であり、
前記マスターキーを用いることで、前記第一のドアと前記第二のドアの解錠を同時に行うことが可能であり、
前記第一のドアは、トランクルーム（５００）の外に面し、前記第二のドアはトランクルームの外に面していない、トランクルーム（５００）。
によっても達成される。
【発明の効果】
【０００８】
本発明によれば、受取人等が留守の場合でも配達業者が再配達をすることなく配達物を届けることができるドアの施解錠システム及びトランクルーム施設を提供することができる。
【図面の簡単な説明】
【０００９】
【図１】本発明の実施形態によるドアの施解錠システム１に用いるドア１００、２００を説明する図である。
【図２】本発明の実施形態によるドアの施解錠システム１に用いるドア１００とドア２００の設置状態を説明する図である。
【図３】本発明の実施形態によるドアの施解錠システム１のシステム構成図である。
【図４】本発明の実施形態によるドアの施解錠システム１に用いる施解錠ユニット１０ａ、１０ｂの構成を説明する機能ブロック図である。
【図５】本発明の実施形態によるドアの施解錠システム１に用いるドア１００とドア２００の設置した建物の平面図である。
【図６】本発明の実施形態によるトランクルーム５００を説明する図である。
【図７】本発明の実施形態によるトランクルーム施設１０００を説明する図である。
【図８】本発明の実施形態によるトランクルーム施設１０００を説明する図である。
【図９】本発明の実施形態によるトランクルーム施設１０００を説明する図である。
【発明を実施するための形態】
【００１０】
以下、図１〜図４を用いて、本発明の実施形態によるドアの施解錠システム１を説明する。なお、以下の全ての図面においては、理解を容易にするため、各構成要素の寸法や比率などは適宜異ならせて図示している。
【００１１】
図１は、ドアの施解錠システム１に用いるドア１００、２００の裏面図である。図１に示すように、ドア１００は、施解錠ユニット１０ａを有し、ドア２００は、施解錠ユニット１０ｂを有している。施解錠ユニット１０ａは、ドア１００の施錠及び解錠を行うユニットであり、施解錠ユニット１０ｂは、ドア２００の施錠及び解錠を行うユニットである。また、施解錠ユニット１０ａ、１０ｂは、既存のドアに後付けすることも可能である。
【００１２】
図２を用いて、ドアの施解錠システム１に用いるドア１００、２００の設置状態を説明する。ドアの施解錠システム１に用いるドア１００、２００は、建物の出入口に設ける。本実施形態では、ドア１００、２００は、住宅の玄関に設けられる風除室３００の二つの出入り口にそれぞれ設けられる。ドア１００は、屋外側に設けられ、ドア２００は、屋内側に設けられる。なお、ドア１００、２００は、風除室３００以外に設けられる場合があってもよい。ドア１００とドア２００は、建物内にある同一の室の出入り口にそれぞれ設けられ、かつドア１００は、屋外に面していればよい。
【００１３】
図３を用いて、ドアの施解錠システム１のシステム構成を説明する。図３は、ドア１００、２００に設けられる施解錠ユニット１０ａ、１０ｂのシステム構成図である。施解錠ユニット１０ａ、１０ｂと端末４０は、インターネット及びルータ３０を介して、通信可能に構成される。また、施解錠ユニット１０ａと施解錠ユニット１０ｂは、ルータ３０を介さないで、直接的に通信可能であり、施解錠ユニット１０ａ、１０ｂと端末４０は、インターネット及びルータ３０を介さないでも、直接的に通信可能に構成される。なお、端末４０は、専用端末であってもよいし、所定のアプリケーションがインストールされた端末（例えば、スマートフォン、タブレット、パソコン等）であってもよい。また、端末４０とは別に屋内に設けられた端末を用いて、直接的に施解錠ユニット１０ａ、１０ｂを制御してもよい。例えば、屋内に設けられた端末を用いた遠隔操作によって、ドア１０のみを解錠し、或いは、ドア１０、２０の両方を解錠してもよい。
【００１４】
施解錠ユニット１０ａ、１０ｂの管理権限を有する管理者は、端末４０を用いて、ユーザーキー２０ｂを発行し、更に、他人にユーザーキー２０ｂを貸与することができる。ユーザーキー２０ｂは、ドア１の解錠のみを行うことが可能であり、ドア２の解錠を行うことが不可能である。ユーザーキー２０ｂは、バーコードキーや２次元コードキー、暗証番号キー等である。また、端末４０は、他人が所有する端末に、発行したユーザーキー２０ｂを、インターネットを介し、メール等で送信することができる。なお、端末４０によって発行したユーザーキー２０ｂをサーバーに保存し、ユーザーキー２０ｂを受け取る者が当該サーバーにアクセスし、所定の手順（ログインＩＤ、パスワードの入力等）を得て、ユーザーキー２０ｂを取得する構成であってもよい。
【００１５】
施解錠ユニット１０ａ、１０ｂの管理権限を有する管理者は、ユーザーキー２０ｂが使用できる期間と回数を設定することができる。例えば、配達業者が配達時間を指定している場合には、この配達時間内において、ユーザーキー２０ｂが１回のみ使用可能となるように設定してもよい。また、施解錠ユニット１０ａは、ユーザーキー２０ｂが使用されてドア１００の開閉が行われると、所定時間が経過後にドア１００の施錠を自動的に行うように構成されてもよい。また、施解錠ユニット１０ａ、１０ｂの管理権限を有する管理者は、端末４０を用いて、ドア１００、２００の施錠及び解錠を行うこともできる。
【００１６】
マスターキー２０ａは、物理キー、リモコンキー、ＩＣカードキー、磁気カードキー、バーコードキーや２次元コードキー、暗証番号キー、生体認証キーのうちの少なくとも一つで構成されてもよい。本実施形態では、カギ形状の物理キーと所定の符号を発信するリモコンキーで構成される。
【００１７】
マスターキー２０ａを用いてドア１００の解錠を行うと、自動的にドア２００の解錠が行われるように構成される。例えば、マスターキー２０ａでドア１００の解錠を行うと、施解錠ユニット１０ａから施解錠ユニット１０ｂに、ドア２００を解錠するコードが送信される。同様に、マスターキー２０ａでドア１００の施錠を行うと、施解錠ユニット１０ａから施解錠ユニット１０ｂに、ドア２００を施錠するコードが送信される。なお、マスターキー２０ａのリモコンキーを用いた場合には、当該リモコンキーから、施解錠ユニット１０ａ、１０ｂに、ドア２００を施錠または解錠するコードが送信されてもよい。
【００１８】
また、施解錠ユニット１０ａ、１０ｂは、ルータ３０を介してインターネットに繋がっているため、施解錠ユニット１０ａ、１０ｂの動作履歴をリアルタイムで端末４０や所定のサーバー等に保存することも可能である。さらに、監視カメラと連動させることで、不正な方法で施解錠ユニット１０ａ、１０ｂの動作が確認された場合には、この監視カメラの映像をリアルタイムで端末４０や所定のサーバーに送信させてもよい。また、施解錠ユニット１０ａとインターホンを連動させてもよい。ドア１００がユーザーキー２０ｂで開けられた場合に、通常時の呼鈴とは異なる音を用いてドア１００がユーザーキー２０ｂで開けられたことを報知してもよい。
【００１９】
図４を用いて、施解錠ユニット１０ａ、１０ｂの構成を説明する。図４は、施解錠ユニット１０ａ、１０ｂの機能ブロック図である。
【００２０】
図４に示すように、施解錠ユニット１０ａは、ＣＰＵ１１ａ、通信部１２ａ、メモリ１３ａ、開閉駆動部１４ａ、及びインターフェース１５ａを有し、施解錠ユニット１０ｂは、ＣＰＵ１１ｂ、通信部１２ｂ、メモリ１３ｂ、開閉駆動部１４ｂ、及びインターフェース１５ｂを有している。また、施解錠ユニット１０ａと施解錠ユニット１０ｂは、電源４０を電力源としている。なお、施解錠ユニット１０ａと施解錠ユニット１０ｂは、それぞれ別の電源を用いるように構成されてもよい。
【００２１】
通信部１２ａは、ルータ３０との間で、有線や無線で通信を行うことが可能な電子部品で構成される。通信部１２ｂは、ルータ３０との間で、有線や無線で通信を行うことが可能な電子部品で構成される。また、通信部１２ａと通信部１２ｂは、ルータ３０を介さないで、有線や無線で通信を行うことが可能である。さらに、通信部１２ａ、１２ｂは、マスターキー２０ａのリモコンキーから発信される電磁波を受信することも可能である。なお、通信部１２ａ、１２ｂの少なくとも一つにルータ機能を備える構成であってもよい。
【００２２】
メモリ１３ａには、施解錠ユニット１０ａの制御プログラムが保存される。メモリ１３ｂには、施解錠ユニット１０ｂの制御プログラムが保存される。メモリ１３ａ、１３ｂには、マスターキー２０ａやユーザーキー２０ｂの情報やユーザーキー２０ｂが使用可能な条件（例えば、使用回数や使用可能の時間等）の情報が保存される。なお、メモリ１３ｂには、ユーザーキー２０ｂの情報が保存されなくてもよい。ユーザーキー２０ｂで施解錠ユニット１０ｂが設けられたドア２００の施錠及び解錠を行うことがないからである。また、施解錠ユニット１０ａ、１０ｂの制御プログラムは、インターネットを介してインストールや削除が可能であり、定期的にバージョンアップされる。また、マスターキー２０ａやユーザーキー２０ｂの情報は、管理者権限を有する管理者が端末４０の操作や所定のサーバーにアクセスすることで管理、運営される。
【００２３】
開閉駆動部１３ａは、ドア１００を施錠する施錠部と当該施錠部の開閉動作を行う動作部で構成される。開閉駆動部１３ｂは、ドア２００を施錠する施錠部と当該施錠部の開閉動作を行う動作部で構成される。開閉駆動部１３ａ、１３ｂの動作部は、電動モータや電動アクチュエータを有する構成である。また、マスターキー２０ａの物理キーを用いた場合には開閉駆動部１３ａ、１３ｂの動作部を用いないで開閉駆動部１３ａ、１３ｂの施錠部の開閉動作が行われる構成である。また、開閉駆動部１３ａ、１３ｂの施錠部にはセンサが設けられ、当該センサの情報がＣＰＵ１１ａ、１１ｂを介して、メモリ１３ａ、１３ｂに、時間情報が付加されて保存される。このため、不正な手段を用いてドア１００、２００の解錠が行われた場合を検出することが可能である。また、マスターキー２０ａの物理キーを用いドア１００の施錠及び解錠が行われたことを当該センサが検出すると、ＣＰＵ１５ａは、通信部１２ａを介して、通信部１２ｂにドア２００の施錠及び解錠を行うコードを送信し、ＣＰＵ１５ｂは、当該コマンドに基づいて、開閉駆動部１３ｂを制御する。
【００２４】
インターフェース１５ａ、１５ｂは、マスターキー２０ａやユーザーキー２０ｂを使用するためのインターフェースであり、リモコンキーやＩＣカードキーや磁気カードキーやバーコードキーや２次元コードキーや生体認証キーを入力するためのインターフェースである。また、インターフェース１５ａ、１５ｂは、マスターキー２０ａの物理キーのカギ穴を備えている。
【００２５】
ＣＰＵ１１ａは、メモリ１３ａに保存されている制御プログラムを実行することで、通信部１２ａ、開閉駆動部１４ａ、インターフェース１５ａを制御する。開閉駆動部１４ａによるドア１００の施錠及び解錠は、インターフェース１５ａの情報に基づいて実行される場合と通信部１２ｂの情報に基づいて実行される場合とがある。ＣＰＵ１１ｂは、メモリ１３ｂに保存されている制御プログラムを実行することで、通信部１２ｂ、開閉駆動部１４ｂ、インターフェース１５ｂを制御する。開閉駆動部１４ｂによるドア２００の施錠及び解錠は、インターフェース１５ｂの情報に基づいて実行される場合と通信部１２ｂの情報に基づいて実行される場合とがある。
【００２６】
次いで、図５を用いて、ドア１００とドア２００を設置した建物の施工例を説明する。図５（ａ）〜（ｄ）は、ドア１００とドア２００を設置した建物の平面図である。図５（ａ）は、建物３３０の内部に、ドア１００、２００を設けた室３００を設置した建物３３０の平面図である。ドア１００は、建物３３０の玄関ドアとして機能する。また、室３００の左右には、引戸等で仕切られた物置室１５０がそれぞれ設けられる。図５（ｂ）は、建物３３０の玄関口にドア１００、２００を設けた室３００を設置した建物３３０の平面図である。ドア２００は、建物３３０の玄関ドアとして機能する。また、室３００の右には、引戸等で仕切られた物置室１５０が設けられる。図５（ｃ）は、建物３３０の玄関ドア２５０とは別の勝手口に、ドア１００、２００を設けた室３００を設置した建物３３０の平面図である。図５（ｄ）は、建物３３０に隣接した倉庫３５０の入り口に、ドア１００、２００を設けた室３００を設置した建物３３０、倉庫３５０の平面図である。本発明の実施形態によるドアの施解錠システム１に用いるドア１００、２００は、上述や上述以外において用いることが可能である。
【００２７】
本発明の実施形態によるドアの施解錠システム１は、以下のように運営するのが好適である。
（あ）荷受人は、予め、配達時間において留守であることがわかっている場合
ａ．荷受人は、所定のアプリケーションがインストールされた端末４０を用いて、ユーザーキー２０ｂを発行し、配達業者にユーザーキー２０ｂを送信する。
ｂ．配達業者の担当者は、ユーザーキー２０ｂを用いて、ドア１００の解錠を行い、風除室３００に配達物を保管する。
ｃ．配達業者の担当者がドア１００を閉め、所定の時間が経過した後に自動的にドア１００の施錠が行われる。なお、ドア１００の施錠が行われない場合には、ユーザーキー２０ｂが送信された端末に、ドア１００の施錠が行われていない旨を送信してもよい。
ｄ．荷受人は、帰宅時に風除室３００に保管されている配達物を受け取り、端末４０を用いて、配達業者に荷受したことを知らせる。
（い）荷受人は、予め、配達時間において留守であることがわかっていない場合
ａ．配達業者の担当者は、荷受人等が留守であることを荷受人に電話、メール、若しくは所定のアプリケーションを用いて知らせる。
ｂ．荷受人は、当該担当者が所持している端末に、ユーザーキー２０ｂを送信する。
ｃ．配達業者の担当者は、ユーザーキー２０ｂを用いて、ドア１００の解錠を行い、風除室３００に配達物を保管する。
ｄ．配達業者の担当者がドア１００を閉め、所定の時間が経過した後に自動的にドア１００の施錠が行われる。なお、ドア１００の施錠が行われない場合には、ユーザーキー２０ｂが送信された端末に、ドア１００の施錠が行われていない旨を送信してもよい。
ｅ．荷受人は、帰宅時に風除室３００に保管されている配達物を受け取り、端末４０を用いて、配達業者に荷受したことを知らせる。
（う）予め、荷受人と配達業者がユーザーキー２０ｂの貸与の契約をしている場合
ａ．荷受人は、配達業者にユーザーキー２０ｂの貸与を行う。なお、ユーザーキー２０ｂは、配達業者と荷受人で共有され、毎日変更される。
ｂ．荷受人への配達があると、配達業者の担当者は、荷受人等が留守である場合に、ユーザーキー２０ｂを用いて、ドア１００の解錠を行い、風除室３００に配達物を保管する。なお、荷受人への配達がない場合には、ユーザーキー２０ｂは、配達業者の担当者が所有する端末に送信されない。
ｃ．配達業者の担当者がドア１００を閉め、所定の時間が経過した後に自動的にドア１００の施錠が行われる。なお、ドア１００の施錠が行われない場合には、ユーザーキー２０ｂが送信された端末に、ドア１００の施錠が行われていない旨を送信してもよい。
ｄ．荷受人は、帰宅時に風除室３００に保管されている配達物を受け取り、端末４０を用いて、配達業者に荷受したことを知らせる。
【００２８】
本発明の実施形態によるドアの施解錠システム１は、以下の効果を奏する。
（あ）ユーザーキー２０ｂを他人に貸与しても、ユーザーキー２０ｂではドア２００の解錠を行うことができないため、管理者は安心して他人にユーザーキー２０ｂを貸与できる。
（い）ドア１００とドア２００は、建物玄関に設けられた風除室３００に設けられるため、荷受人が配達物を受け取るための負担が軽減される。集配ボックを使用した場合は、集配ボックスを開けて取出す手間がある。
（う）マスターキー２０ａでドア１００の施錠及び解錠を行うと、自動的にドア２００の施錠及び解錠が行われるため、ドアの施錠及び解錠を行う負担が軽減される。
（え）荷受人が家に居る場合でも、ユーザーキー２０ｂを配達業者に貸与することや所定の端末操作でドア１００の開閉することで、配達業者と顔を合わせる必要がない。
（お）監視カメラと施解錠ユニット１０ａを連動させることで、ドア１００の開閉時を録画することができるため、安全性が確保される。
【００２９】
次いで、図６を用いて、本発明の実施形態によるトランクルーム５００を説明する。また、上述の構成と同じ構成については、符号を同一にすることで、その説明を省略する場合がある。
【００３０】
図６は、トランクルーム５００の断面図である。図６に示すように、トランクルーム５００内は、仕切り壁によって、前室５０１と後室５０３に仕切られている。トランクルーム５００の出入り口に施解錠ユニット１０ａを有するドア１００が設けられ、トランクルーム内に設けられた仕切り壁の出入り口に施解錠ユニット１０ｂを有するドア２００が設けられる。なお、施解錠ユニット１０ａを有するドア１００及び施解錠ユニット１０ｂを有するドア２００は、上述のドアの施解錠システム１によって、ドアの開閉が行われる。なお、ドア１００若しくは２００に郵便受けを設けてもよい。トランクルーム５００に郵便受けを設けることで、私設私書箱としても運用可能である。
【００３１】
本発明の実施形態によるドアの施解錠システム１を用いたトランクルーム５００は、以下のように運用するのが好適である。
（あ）荷受人は、予め、配達時間において留守であることがわかっている場合
ａ．荷受人は、所定のアプリケーションがインストールされた端末４０を用いて、ユーザーキー２０ｂを発行し、配達業者にトランクルーム５００への配達依頼とユーザーキー２０ｂを送信する。
ｂ．配達業者の担当者は、ユーザーキー２０ｂを用いて、トランクルーム５００のドア１００の解錠を行い、前室５０１に配達物を保管する。
ｃ．配達業者の担当者がドア１００を閉め、所定の時間が経過した後に自動的にドア１００の施錠が行われる。なお、ドア１００の施錠が行われない場合には、ユーザーキー２０ｂが送信された端末に、ドア１００の施錠が行われていない旨を送信してもよい。
ｄ．荷受人は、トランクルーム５００の前室５０１に保管されている配達物を受け取り、端末４０を用いて、配達業者に荷受したことを知らせる。
（い）荷受人は、予め、配達時間において留守であることがわかっていない場合
ａ．配達業者の担当者は、荷受人等が留守であることを荷受人に電話、メール、若しくは所定のアプリケーションを用いて知らせる。
ｂ．荷受人は、配達業者の担当者にトランクルーム５００への再配達と当該担当者が所持している端末に、ユーザーキー２０ｂを送信する。
ｃ．配達業者の担当者は、ユーザーキー２０ｂを用いて、トランクルーム５００のドア１００の解錠を行い、前室５０１に配達物を保管する。
ｄ．配達業者の担当者がドア１００を閉め、所定の時間が経過した後に自動的にドア１００の施錠が行われる。なお、ドア１００の施錠が行われない場合には、ユーザーキー２０ｂが送信された端末に、ドア１００の施錠が行われていない旨を送信してもよい。
ｅ．荷受人は、トランクルーム５００の前室５０１に保管されている配達物を受け取り、端末４０を用いて、配達業者に荷受したことを知らせる。
（う）予め、荷受人と配達業者がユーザーキー２０ｂの貸与の契約をしている場合
ａ．荷受人は、配達業者に、トランクルーム５００に用いるユーザーキー２０ｂの貸与を行う。なお、ユーザーキー２０ｂは、配達業者と荷受人で共有され、毎日変更される。
ｂ．荷受人への配達があると、配達業者の担当者は、荷受人等が留守である場合に、トランクルーム５００に再配達する。また、配達業者から貸与されたユーザーキー２０ｂを用いて、トランクルーム５００のドア１００の解錠を行い、前室５０１に配達物を保管する。なお、荷受人への配達がない場合には、ユーザーキー２０ｂは、配達業者の担当者が所有する端末に送信されない。
ｃ．配達業者の担当者がドア１００を閉め、所定の時間が経過した後に自動的にドア１００の施錠が行われる。なお、ドア１００の施錠が行われない場合には、ユーザーキー２０ｂが送信された端末に、ドア１００の施錠が行われていない旨を送信してもよい。
ｄ．荷受人は、トランクルーム５００の前室５０１に保管されている配達物を受け取り、端末４０を用いて、配達業者に荷受したことを知らせる。
【００３２】
本発明の実施形態によるドアの施解錠システム１を用いたトランクルーム５００は、以下の効果を奏する。
（あ）トランクルーム５００内に配達業者が進入できる部屋と管理者のみが進入できる部屋を仕切ることで、配達業者がトランクルームに配達物を届ける際の、プライバシーの保護や窃盗などの不安が解消される。
（い）トランクルーム５００への再配達において、ユーザーキー２０ｂを貸与するため、誤配達が防止される。
（う）配達業者がユーザーキー２０ｂを用いた場合に、自動的にドア１００の施錠が行われるため、配達物の盗難のリスクが低減される。
【００３３】
次いで、図７〜図９を用いて、本発明の実施形態によるトランクルーム施設１０００を説明する。
【００３４】
図７は、トランクルーム施設１０００の正面の概略図であり、図８は、トランクルーム施設１０００の側面の概略図であり、図９は、トランクルーム施設１０００を建物に設置した状態を斜視概略図である。図７及び図８に示すように、トランクルーム施設１０００は、複数（本実施の形態では２１個）のトランクルーム５００ａ〜５００ｕと、トランクルーム５００ａ〜５００ｕを保管する保管設備６００ａ〜６００ｆ（保管設備６００ｅ、６００ｆは不図示）と、ユーザーが利用するトランクルームを呼び出すためのユーザーインターフェース５１１ａ、５１１ｂ、５１１ｃと、ユーザーが利用するトランクルームを呼び出し、かつ呼び出したトランクルームへの入出を行うためのトランクルーム入出設備５１０ａ、５１０ｂ、５１０ｃと、トランクルーム５００ａ〜５００ｕを移動させるトランクルーム移動手段７１０と、を備えている。トランクルーム移動手段７１０は、ユーザーインターフェース５１１ａ、５１１ｂ、５１１ｃに入力された情報に基づいて、一のトランクルームをトランクルーム保管設備６００ａ〜６００ｆからトランクルーム入出設備５１０ａ、５１０ｂ、５１０ｃに移動させ、一のトランクルームをトランクルーム入出設備５１０ａ、５１０ｂ、５１０ｃからトランクルーム保管設備６００ａ〜６００ｆの空いている保管場所に移動させることが可能である。また、本実施の形態では、トランクルーム５００ｓ、５００ｕには、トランクルーム内部にドア２００が設けられていない。
【００３５】
図７、図８に示すように、矢倉状のトランクルーム保管設備６００ａ〜６００ｆは、４階構造であり、トランクルーム５００ａ〜５００ｕを立体的に保管することが可能である。また、トランクルーム保管設備６００ａ、６００ｂ、６００ｃの１階部分には、トランクルーム入出設備５１０ａ、５１０ｂ、５１０ｃがそれぞれ設けられている。
【００３６】
トランクルーム移動手段７１０は、トランクルームを鉛直方向に上げ下げするためのエレベータ設備７１１（巻上駆動部７１１ａ、載置部７１１ｂ）と、自身をレール７１５ａ、７１５ｂに沿って移動させる車輪７１３ａ、７１３ｂ、７１３ｃ（不図示）、７１３ｄ（不図示）、及び車輪７１３ａ〜７１３ｄの駆動部（不図示）と、これらを支える複数の支柱を有している。また、エレベータ設備７１１の載置部７１１ｂには、２本のアーム７１２とアーム７１２の出し入れを行う駆動部（不図示）を有している。また、トランクルーム移動手段７１０は、トランクルーム保管設備６００ａ〜６００ｃと保管設備６００ｄ〜６００ｆの間に設けられ、保管設備６００ａ〜６００ｃ及び保管設備６００ｄ〜６００ｆの並びに対して並行移動が可能である。なお、本例ではトランクルームを鉛直方向に上げ下げするためのエレベータ設備７１１は巻上げ式を採用しているが、油圧式であってもよいし、ゴンドラ式であってもよい。
【００３７】
図８は、トランクルーム保管設備６００ａの３階部分に保管されているトランクルーム５００ｃをトランクルーム移動手段７１０が取出している状態を示している。載置部７１１ｂのアーム７１２で保管されているトランクルーム５００ｃを取出し、載置部７１１ｂに載置する。その後、トランクルーム５００ｃの載置部７１１ｂへの載置が完了すると、１階部分に降ろし、アーム７１２を用いて、トランクルーム５００ｃをトランクルーム入出設備５１０ａに載置する。なお、トランクルーム入出設備５１０ｂにてトランクルーム５００ｃが呼び出された場合は、トランクルーム５００ｃを１階部分に降ろした後で、トランクルーム移動手段７１０をトランクルーム入出設備５１０ｂの後方に移動させ、アーム７１２を用いて、トランクルーム５００ｃをトランクルーム入出設備５１０ｂに載置する。
【００３８】
本発明の実施形態によるトランクルーム施設１０００には、本発明の実施形態によるドアの施解錠システム１を用いたトランクルーム５００を用いてもよい。また、トランクルーム施設１０００の屋上に配達用ドローンの離着陸場所を設けてもよい。ユーザーが利用するトランクルームから所望の保管物をユーザーの自宅までドローンにて配送してもよいし、保管物をトランクルームに搬入させるため、配達用ドローンを用いてもよい。また、トランクルーム施設１０００は、地下に設けてもよいし、ビルやマンションの一室に設けてもよいし、ビルやマンションに隣接してもよい。また、立体式駐車場に設けてもよい。
【００３９】
本発明の実施形態によるトランクルーム施設１０００は、以下の効果を奏する。
（あ）トランクルームを立体的に保管することができるため、特に地価の高い都市部において土地の有効活用が図れる。
（い）トランクルームを呼び出すことができるため、ユーザーが利用しているトランクルームまで荷物を運ぶという負担が軽減される。
（う）トランクルームを呼び出し、入出するためのトランクルーム入出設備が複数設けられているため、利用者の待ち時間が軽減される。
（え）トランクルーム移動手段７１０が並行移動可能であるため、トランクルームを鉛直上下方向に移動させるエレベータ設備が一つでよいため、コスト低減が図れる。
【００４０】
上述の実施形態は、本発明の好適な一例であるので、技術的に好ましい種々の限定が付されているが、本発明の範囲は、上述の説明によって不当に限定されるものではない。また、上述の実施形態で説明される構成の全てが本発明の必須の構成要件ではない。また、上述の実施形態で説明される構成は相互に付け足したり組み合わせたりしてもよい。
【産業上の利用可能性】
【００４１】
本発明は、ドアの施解錠システムにおいて広く利用可能である。
本発明は、トランクルーム施設において広く利用可能である。
【符号の説明】
【００４２】
１  ドアの施解錠システム
１０ａ、１０ｂ  施解錠ユニット
１００、２００、２５０  ドア
３００  風除室（室）
１５０  物置室
３３０  建物
３５０  倉庫
２０ａ  マスターキー
２０ｂ  ユーザーキー
３０  ルータ
４０  端末
１１ａ、１１ｂ  ＣＰＵ
１２ａ、１２ｂ  通信部
１３ａ、１３ｂ  メモリ
１４ａ、１４ｂ  開閉駆動部
１５ａ、１５ｂ  インターフェース
４０  電源
５００  ５００ａ〜５００ｕ  トランクルーム
５０１  前室
５０３  後室
５１０ａ、５１０ｂ、５１０ｃ  トランクルーム入出設備
５１１ａ、５１１ｂ、５１１ｃ  ユーザーインターフェース
６００ａ〜６００ｆ  トランクルーム保管設備
７１０  トランクルーウ移動手段
７１１ａ  巻上駆動部
７１１ｂ  載置部
７１２  アーム
７１３ａ〜７１３ｄ  車輪
７１５ａ、７１５ｂ  レール
１０００  トランクルーム施設
【図１】
2020084496.tif 000003
【図２】
2020084496.tif 000004
【図３】
2020084496.tif 000005
【図４】
2020084496.tif 000006
【図５】
2020084496.tif 000007
【図６】
2020084496.tif 000008
【図７】
2020084496.tif 000009
【図８】
2020084496.tif 000010
【図９】
2020084496.tif 000011
【手続補正書】
【提出日】平成31年1月31日(2019.1.31)
【手続補正１】
【補正対象書類名】図面
【補正対象項目名】図１
【補正方法】変更
【補正の内容】
【図１】
2020084496.tif 000012
【手続補正書】
【提出日】令和2年2月10日(2020.2.10)
【手続補正１】
【補正対象書類名】特許請求の範囲
【補正対象項目名】全文
【補正方法】変更
【補正の内容】
【特許請求の範囲】
【請求項１】
物理キー、リモコンキー、ＩＣカードキー、磁気カードキー、バーコードキーや２次元コードキー、暗証番号キー、生体認証キーのうちの少なくとも一つに基づいてドアの施錠及び解錠をすることが可能な第一の施解錠ユニットと、
物理キー、リモコンキー、ＩＣカードキー、磁気カードキー、バーコードキーや２次元コードキー、暗証番号キー、生体認証キーの少なくとも一つに基づいてドアの施錠及び解錠をすることが可能な第二の施解錠ユニットと、を備え、
前記第一の施解錠ユニット及び前記第二の施解錠ユニットは、通信部を有し、
前記第一の施解錠ユニットは、第一のドアに設けられ、
前記第二の施解錠ユニットは、第二のドアに設けられ、
前記第一のドアのみの解錠を行うことが可能なユーザーキーがあり、
前記第一のドア及び前記第二のドアの施錠及び解錠を行うことが可能なマスターキーがあり、
前記マスターキーを用いることで、前記第一のドアと前記第二のドアの施錠を同時に行うことが可能であり、
前記マスターキーを用いることで、前記第一のドアと前記第二のドアの解錠を同時に行うことが可能であり、
前記第一のドアと前記第二のドアは、同じ室に設けられ、該第一のドアは、屋外に面している、ドアの施解錠システム。
【請求項２】
前記マスターキーを用いて、前記第一のドアの施錠を行うと、前記第一の施解錠ユニットの通信部から前記第二の施解錠ユニットの通信部に向けて、前記第二のドアの施錠を行うコードが送信され、
前記マスターキーを用いて、前記第一のドアの解錠を行うと、前記第一の施解錠ユニットの通信部から前記第二の施解錠ユニットの通信部に向けて、前記第二のドアの解錠を行うコードが送信される、請求項１に記載のドアの施解錠システム。
【請求項３】
前記ユーザーキーは、前記第一の施解錠ユニットの管理者によって発行され、管理者が決めた回数のみ使用可能であり、
前記第一の施解錠ユニットは、前記ユーザーキーを用いて前記第一のドアの解錠が行われて該第一のドアが開けられた場合において、該第一のドアが閉められてから所定の時間が経過すると該第一のドアの施錠を行うように構成される、請求項１または請求項２に記載のドアの施解錠システム。
【請求項４】
前記第一の施解錠ユニット及び／または前記第二の施解錠ユニットは、建物内に設けられた所定の端末による遠隔操作が可能である、請求項１乃至請求項３のいずれか一項に記載のドアの施解錠システム。
【請求項５】
前記第一のドアと前記第二のドアは、住宅用の風除室に設けられる、請求項１乃至請求項４のいずれか一項に記載のドアの施解錠システム。
【請求項６】
物理キー、リモコンキー、ＩＣカードキー、磁気カードキー、バーコードキーや２次元コードキー、暗証番号キー、生体認証キーのうちの少なくとも一つに基づいてドアの施錠及び解錠をすることが可能な第一の施解錠ユニットと、
物理キー、リモコンキー、ＩＣカードキー、磁気カードキー、バーコードキーや２次元コードキー、暗証番号キー、生体認証キーの少なくとも一つに基づいてドアの施錠及び解錠をすることが可能な第二の施解錠ユニットと、
第一のドアと、
第二のドアと、を備え、
前記第一の施解錠ユニット及び前記第二の施解錠ユニットは、通信部を有し、
前記第一の施解錠ユニットは、前記第一のドアに設けられ、
前記第二の施解錠ユニットは、前記第二のドアに設けられ、
前記第一のドアのみの解錠を行うことが可能なユーザーキーがあり、
前記第一のドア及び前記第二のドアの施錠及び解錠を行うことが可能なマスターキーがあり、
前記マスターキーを用いることで、前記第一のドアと前記第二のドアの施錠を同時に行うことが可能であり、
前記マスターキーを用いることで、前記第一のドアと前記第二のドアの解錠を同時に行うことが可能であり、
前記第一のドアは、トランクルームの外に面し、前記第二のドアはトランクルームの外に面していない、トランクルーム。
【請求項７】
請求項６に記載のトランクルームを複数有するトランクルーム施設。
【手続補正書】
【提出日】令和2年3月28日(2020.3.28)
【手続補正１】
【補正対象書類名】特許請求の範囲
【補正対象項目名】全文
【補正方法】変更
【補正の内容】
【特許請求の範囲】
【請求項１】
物理キー、リモコンキー、ＩＣカードキー、磁気カードキー、バーコードキーや２次元コードキー、暗証番号キー、生体認証キーのうちの少なくとも一つに基づいてドアの施錠及び解錠をすることが可能な第一の施解錠ユニットと、
物理キー、リモコンキー、ＩＣカードキー、磁気カードキー、バーコードキーや２次元コードキー、暗証番号キー、生体認証キーの少なくとも一つに基づいてドアの施錠及び解錠をすることが可能な第二の施解錠ユニットと、を備え、
前記第一の施解錠ユニット及び前記第二の施解錠ユニットは、通信部を有し、
前記第一の施解錠ユニットは、第一のドアに設けられ、
前記第二の施解錠ユニットは、第二のドアに設けられ、
前記第一のドアのみの解錠を行うことが可能なユーザーキーがあり、
前記第一のドア及び前記第二のドアの施錠及び解錠を行うことが可能なマスターキーがあり、
前記マスターキーを用いることで、前記第一のドアと前記第二のドアの施錠を同時に行うことが可能であり、
前記マスターキーを用いることで、前記第一のドアと前記第二のドアの解錠を同時に行うことが可能であり、
前記第一のドアと前記第二のドアは、同じ室に設けられ、
前記第一のドアは、屋外に面し、
前記第二のドアは、屋外に面していない、ドアの施解錠システム。
【請求項２】
前記マスターキーを用いて、前記第一のドアの施錠を行うと、前記第一の施解錠ユニットの通信部から前記第二の施解錠ユニットの通信部に向けて、前記第二のドアの施錠を行うコードが送信され、
前記マスターキーを用いて、前記第一のドアの解錠を行うと、前記第一の施解錠ユニットの通信部から前記第二の施解錠ユニットの通信部に向けて、前記第二のドアの解錠を行うコードが送信される、請求項１に記載のドアの施解錠システム。
【請求項３】
前記ユーザーキーは、前記第一の施解錠ユニットの管理者によって発行され、管理者が決めた回数のみ使用可能であり、
前記第一の施解錠ユニットは、前記ユーザーキーを用いて前記第一のドアの解錠が行われて該第一のドアが開けられた場合において、該第一のドアが閉められてから所定の時間が経過すると該第一のドアの施錠を行うように構成される、請求項１または請求項２に記載のドアの施解錠システム。
【請求項４】
前記第一の施解錠ユニット及び／または前記第二の施解錠ユニットは、建物内に設けられた所定の端末による遠隔操作が可能である、請求項１乃至請求項３のいずれか一項に記載のドアの施解錠システム。
【請求項５】
前記第一のドアと前記第二のドアは、住宅用の風除室に設けられる、請求項１乃至請求項４のいずれか一項に記載のドアの施解錠システム。
【請求項６】
物理キー、リモコンキー、ＩＣカードキー、磁気カードキー、バーコードキーや２次元コードキー、暗証番号キー、生体認証キーのうちの少なくとも一つに基づいてドアの施錠及び解錠をすることが可能な第一の施解錠ユニットと、
物理キー、リモコンキー、ＩＣカードキー、磁気カードキー、バーコードキーや２次元コードキー、暗証番号キー、生体認証キーの少なくとも一つに基づいてドアの施錠及び解錠をすることが可能な第二の施解錠ユニットと、
第一のドアと、
第二のドアと、を備え、
前記第一の施解錠ユニット及び前記第二の施解錠ユニットは、通信部を有し、
前記第一の施解錠ユニットは、前記第一のドアに設けられ、
前記第二の施解錠ユニットは、前記第二のドアに設けられ、
前記第一のドアのみの解錠を行うことが可能なユーザーキーがあり、
前記第一のドア及び前記第二のドアの施錠及び解錠を行うことが可能なマスターキーがあり、
前記マスターキーを用いることで、前記第一のドアと前記第二のドアの施錠を同時に行うことが可能であり、
前記マスターキーを用いることで、前記第一のドアと前記第二のドアの解錠を同時に行うことが可能であり、
前記第一のドアは、トランクルームの外に面し、前記第二のドアはトランクルームの外に面していない、トランクルーム。
【請求項７】
請求項６に記載のトランクルームを複数有するトランクルーム施設。